(57)【要約】【課題】  本発明では、螺旋部の螺旋直径が小さく、取り扱いが容易で、光ファイバコードの余長処理を容易とする光ファイバコードを提供することを目的とする。さらに、一般需要者が使用する汎用の光接続機器に光接続される光接続コードとして使用できる光ファイバコードを提供することを目的とする。また、上記光ファイバコードと同様の目的を有する光ファイバケーブルを提供することを目的とする。また、この光ファイバコード又は光ファイバケーブルの配線方法を提供することを目的とする。【解決手段】  上記課題を解決するために、本発明に係る光ファイバコード１３は、螺旋直径１４が２５ｍｍ以下の螺旋部１６を有し、曲げ半径が１２．５ｍｍにおける曲げ損失が０．０１ｄＢ／ターン以下である。【選択図】  図１
2005165303.tif 000002
【特許請求の範囲】
【請求項１】
螺旋直径が２５ｍｍ以下の螺旋部を有し、曲げ半径が１２．５ｍｍにおける曲げ損失が０．０１ｄＢ／ターン以下の光ファイバコード。
【請求項２】
螺旋直径が２５ｍｍ以下の螺旋部を有し、光ファイバ心線がホーリーファイバである光ファイバコード。
【請求項３】
螺旋直径が２５ｍｍ以下の螺旋部を有し、光ファイバ心線のコア直径が６μｍ以下又はクラッド直径が８０μｍ以下である光ファイバコード。
【請求項４】
螺旋直径が２５ｍｍ以下の螺旋部を有し、曲げ半径が１２．５ｍｍにおける曲げ損失が０．０１ｄＢ／ターン以下の光ファイバケーブル。
【請求項５】
螺旋直径が２５ｍｍ以下の螺旋部を有し、光ファイバ心線がホーリーファイバである光ファイバケーブル。
【請求項６】
螺旋直径が２５ｍｍ以下の螺旋部を有し、光ファイバ心線のコア直径が６μｍ以下又はクラッド直径が８０μｍ以下である光ファイバケーブル。
【請求項７】
光ファイバケーブルから分岐して光接続箱に収容された光ファイバコードを備える光ファイバケーブル端末部において、該光ファイバコードの少なくとも一部が、請求項１、２又は３に記載の光ファイバコードであることを特徴とする光ファイバケーブル端末部。
【請求項８】
光ファイバケーブルから分岐した分岐光ファイバコードの端部に、他の光ファイバコードの端部又は他の光ファイバケーブルから分岐した他の分岐光ファイバコードの端部が接続された光ファイバコード端末部において、前記分岐光ファイバコード、前記他の光ファイバコード又は前記他の分岐光ファイバコードのうち１以上の光ファイバコードの少なくとも一部が、請求項１、２又は３に記載の光ファイバコードであることを特徴とする光ファイバコード端末部。  
【請求項９】
光接続箱に収容された光ファイバコードの端部に、他の光ファイバコードの端部又は光ファイバケーブルから分岐した分岐光ファイバコードの端部が前記光接続箱の外部から接続された光ファイバコード端末部において、前記光ファイバコード、前記他の光ファイバコード又は前記分岐光ファイバコードのうち１以上の光ファイバコードの少なくとも一部が、請求項１、２又は３に記載の光ファイバコードであることを特徴とする光ファイバコード端末部。
【請求項１０】
光ファイバコードの一方の端部を終端する光コネクタが、光接続箱に設けられた光アダプタに該光接続箱の外部から接続された光ファイバコード端末部において、該光ファイバコードの少なくとも一部が、請求項１、２又は３に記載の光ファイバコードであることを特徴とする光ファイバコード端末部。
【請求項１１】
屋内に設けられた配線管と、
該配線管にその一部が収容された光ファイバコードと、
を有する光ファイバ配線部において、該光ファイバコードの少なくとも一部が、請求項１、２又は３に記載の光ファイバコードであることを特徴とする光ファイバ配線部。
【請求項１２】
屋内に設けられた配線管と、
該配線管にその一部が収容された光ファイバケーブルと、
を有する光ファイバ配線部において、該光ファイバケーブルの少なくとも一部が、請求項４、５又は６に記載の光ファイバケーブルであることを特徴とする光ファイバ配線部。
【請求項１３】
光ファイバコード導入口を有するコンセントボックスと、
該光ファイバコード導入口から導入された光ファイバコードと、
を有する情報コンセントにおいて、該コンセントボックスに収容された該光ファイバコードの少なくとも一部が、請求項１、２又は３に記載の光ファイバコードであることを特徴とする情報コンセント。
【請求項１４】
光ファイバコード導入口を有するコンセントボックスと、
該光ファイバコード導入口から導入され、且つ光コネクタによって終端された光ファイバコードと、
を有する情報コンセントにおいて、該コンセントボックスに収容された該光ファイバコードの少なくとも一部が、請求項１、２又は３に記載の光ファイバコードであることを特徴とする情報コンセント。
【請求項１５】
光ファイバケーブルから分岐した分岐光ファイバコードの端部に、他の光ファイバコードの端部又は他の光ファイバケーブルから分岐した他の分岐光ファイバコードの端部を接続する光ファイバ配線方法において、前記分岐光ファイバコード、前記他の光ファイバコード又は前記他の分岐光ファイバコードのうち１以上の光ファイバコードの少なくとも一部が、請求項１、２又は３に記載の光ファイバコードであることを特徴とする光ファイバ配線方法。
【請求項１６】
光接続箱に収容された光ファイバコードの端部に、他の光ファイバコードの端部又は光ファイバケーブルから分岐した分岐光ファイバコードの端部を前記光接続箱の外部から接続する光ファイバ配線方法において、前記光ファイバコード、前記他の光ファイバコード又は前記分岐光ファイバコードのうち１以上の光ファイバコードの少なくとも一部が、請求項１、２又は３に記載の光ファイバコードであることを特徴とする光ファイバ配線方法。
【請求項１７】
光ファイバケーブルから分岐して光接続箱に収容された請求項１、２又は３に記載の光ファイバコードによって、該光ファイバケーブルと該光接続箱に設けられた光アダプタとを接続する光ファイバ配線方法であって、該光ファイバコードの螺旋部を引き伸ばすことによって、該光ファイバコードを終端する光コネクタを、該光アダプタに接続する光ファイバ配線方法。
【請求項１８】
光ファイバケーブルから分岐して光接続箱に収容された光ファイバコードの少なくとも一部が、請求項１、２又は３に記載の光ファイバコードである光ファイバコードによって、該光ファイバケーブルと該光接続箱に設けられた光アダプタとを接続する光ファイバ配線方法であって、該光ファイバコードの螺旋部を引き伸ばすことによって、該光ファイバコードを終端する光コネクタを、該光アダプタに接続する光ファイバ配線方法。
【請求項１９】
光ファイバケーブルから分岐した分岐光ファイバコードの端部に、他の光ファイバコードの端部又は他の光ファイバケーブルから分岐した他の分岐光ファイバコードの端部を接続する光ファイバ配線方法において、前記分岐光ファイバコード、前記他の光ファイバコード又は前記他の分岐光ファイバコードのうち１以上の光ファイバコードの少なくとも一部に、螺旋直径が２５ｍｍ以下の螺旋部を形成した後に、前記分岐光ファイバコードの端部に、前記他の光ファイバコードの端部又は前記他の分岐光ファイバコードの端部を接続することを特徴とする光ファイバ配線方法。
【請求項２０】
光接続箱に収容された光ファイバコードの端部に、他の光ファイバコードの端部又は光ファイバケーブルから分岐した分岐光ファイバコードの端部を前記光接続箱の外部から接続する光ファイバ配線方法において、前記光ファイバコード、前記他の光ファイバコード又は前記分岐光ファイバコードのうち１以上の光ファイバコードの少なくとも一部に、螺旋直径が２５ｍｍ以下の螺旋部を形成した後に、前記光ファイバコードの端部に、前記他の光ファイバコードの端部又は前記分岐光ファイバコードの端部を接続することを特徴とする光ファイバ配線方法。
【請求項２１】
光ファイバケーブルから分岐して光接続箱に収容された光ファイバコードによって、該光ファイバケーブルと該光接続箱に設けられた光アダプタとを接続する光ファイバ配線方法において、該光ファイバコードの少なくとも一部に、螺旋直径が２５ｍｍ以下の螺旋部を形成した後に、該光ファイバコードを終端する光コネクタを、該光アダプタに接続することを特徴とする光ファイバ配線方法。
【請求項２２】
請求項１、２又は３に記載の光ファイバコードの両端を、光信号を入出力する別々の光接続部にそれぞれ接続する光ファイバ配線方法であって、該光ファイバコードの螺旋部を引き伸ばすことによって、該両端を該別々の光接続部にそれぞれ接続する光ファイバ配線方法。
【請求項２３】
請求項４、５又は６に記載の光ファイバケーブルの両端を、光信号を入出力する別々の光接続部にそれぞれ接続する光ファイバ配線方法であって、該光ファイバケーブルの螺旋部を引き伸ばすことによって、該両端を該別々の光接続部にそれぞれ接続する光ファイバ配線方法。
【請求項２４】
光ファイバコード又は光ファイバケーブルの両端を、光信号を入出力する別々の光接続部にそれぞれ接続する光ファイバ配線方法において、該光ファイバコード又は該光ファイバケーブルの少なくとも一部に、螺旋直径が２５ｍｍ以下の螺旋部を形成した後に、該両端を該別々の光接続部にそれぞれ接続することを特徴とする光ファイバ配線方法。
【発明の詳細な説明】
【技術分野】
【０００１】
本発明は、光ファイバコード及び光ファイバケーブルに関する。
【背景技術】
【０００２】
従来の光接続箱に収納される光ファイバコードの余長部は、輪状に束ねられ、そのまま光接続箱に収納されるか、あるいはドラムに巻かれて収納されることによって処理される。この余長処理方法では、光ファイバコードを新たに光接続するときに、光ファイバコードの内部応力によって光ファイバコードが直線状になろうとするため、ある１本の光ファイバ線を引き出す際に手間取る場合がある。また、光ファイバコードはガラス等の脆い素材であるため、光ファイバコードを引き出す際に、光ファイバコードを破損させてしまう恐れがある。
【０００３】
そこで、光ファイバコードを保護被覆し、さらに螺旋形状とした光ファイバコードが発明された（例えば、特許文献１参照。）。この発明は、螺旋加工されたプラスチックチューブに光ファイバ心線を挿入して形成した光ファイバコードである。この光ファイバコードを使用することにより、光ファイバコードが直線状となることを防止でき、光ファイバコードの取り扱いが容易となる。また、光ファイバ心線が保護被覆されているために、外力から光ファイバ心線が保護され、光ファイバ心線の破損を防ぐ。
【特許文献１】特開平４−２１５６０５号公報
【発明の開示】
【発明が解決しようとする課題】
【０００４】
しかし、上記発明では、光ファイバ心線の許容曲げ半径が大きいために螺旋部の螺旋直径が６０ｍｍ程度となる。そのため、光ファイバコードが長くなるにつれ光ファイバコードの嵩が大きくなり、光ファイバコードを収納する光接続箱を大きくせざるを得ない。また、この光ファイバコードの螺旋直径が大きいために、一般需要者が使用する汎用ＰＣ等の光接続機器に光接続される光ファイバコードとしては不向きである。
【０００５】
そこで、本発明では、螺旋部の螺旋直径が小さく、取り扱いが容易で、光ファイバコードの余長処理を容易とする光ファイバコードを提供することを目的とする。さらに、一般需要者が使用する汎用の光接続機器に光接続される光接続コードとして使用できる光ファイバコードを提供することを目的とする。また、上記光ファイバコードと同様の目的を有する光ファイバケーブルを提供することを目的とする。また、この光ファイバコード又は光ファイバケーブルの配線方法を提供することを目的とする。
【課題を解決するための手段】
【０００６】
上記課題を解決するために、本発明に係る光ファイバコードは、螺旋直径が２５ｍｍ以下の螺旋部を有し、曲げ半径が１２．５ｍｍにおける曲げ損失が０．０１ｄＢ／ターン以下の光ファイバコードである。
【０００７】
また、本発明に係る光ファイバコードは、螺旋直径が２５ｍｍ以下の螺旋部を有し、光ファイバ心線がホーリーファイバである光ファイバコードである。
【０００８】
また、本発明に係る光ファイバコードは、螺旋直径が２５ｍｍ以下の螺旋部を有し、光ファイバ心線のコア直径が６μｍ以下又はクラッド直径が８０μｍ以下である光ファイバコードである。
【０００９】
また、本発明に係る光ファイバケーブルは、螺旋直径が２５ｍｍ以下の螺旋部を有し、曲げ半径が１２．５ｍｍにおける曲げ損失が０．０１ｄＢ／ターン以下の光ファイバケーブルである。
【００１０】
また、本発明に係る光ファイバケーブルは、螺旋直径が２５ｍｍ以下の螺旋部を有し、光ファイバ心線がホーリーファイバである光ファイバケーブルである。
【００１１】
また、本発明に係る光ファイバケーブルは、螺旋直径が２５ｍｍ以下の螺旋部を有し、光ファイバ心線のコア直径が６μｍ以下又はクラッド直径が８０μｍ以下である光ファイバケーブルである。
【００１２】
また、本発明に係る光ファイバケーブル端末部は、光ファイバケーブルから分岐して光接続箱に収容された光ファイバコードを備える光ファイバケーブル端末部において、該光ファイバコードの少なくとも一部が、本発明に係る光ファイバコードであることを特徴とする光ファイバケーブル端末部である。
【００１３】
また、本発明に係る光ファイバコード端末部は、光ファイバケーブルから分岐した分岐光ファイバコードの端部に、他の光ファイバコードの端部又は他の光ファイバケーブルから分岐した他の分岐光ファイバコードの端部が接続された光ファイバコード端末部において、前記分岐光ファイバコード、前記他の光ファイバコード又は前記他の分岐光ファイバコードのうち１以上の光ファイバコードの少なくとも一部が、本発明に係る光ファイバコードであることを特徴とする光ファイバコード端末部である。
【００１４】
また、本発明に係る光ファイバコード端末部は、光接続箱に収容された光ファイバコードの端部に、他の光ファイバコードの端部又は光ファイバケーブルから分岐した分岐光ファイバコードの端部が前記光接続箱の外部から接続された光ファイバコード端末部において、前記光ファイバコード、前記他の光ファイバコード又は前記分岐光ファイバコードのうち１以上の光ファイバコードの少なくとも一部が、本発明に係る光ファイバコードであることを特徴とする光ファイバコード端末部である。
【００１５】
また、本発明に係る光ファイバコード端末部は、光ファイバコードの一方の端部を終端する光コネクタが、光接続箱に設けられた光アダプタに該光接続箱の外部から接続された光ファイバコード端末部において、該光ファイバコードの少なくとも一部が、本発明に係る光ファイバコードであることを特徴とする光ファイバコード端末部である。
【００１６】
また、本発明に係る光ファイバ配線部は、屋内に設けられた配線管と、該配線管にその一部が収容された光ファイバコードと、を有する光ファイバ配線部において、該光ファイバコードの少なくとも一部が、本発明に係る光ファイバコードであることを特徴とする光ファイバ配線部である。
【００１７】
また、本発明に係る光ファイバ配線部は、屋内に設けられた配線管と、該配線管にその一部が収容された光ファイバケーブルと、を有する光ファイバ配線部において、該光ファイバケーブルの少なくとも一部が、本発明に係る光ファイバケーブルであることを特徴とする光ファイバ配線部である。
【００１８】
また、本発明に係る情報コンセントは、光ファイバコード導入口を有するコンセントボックスと、該光ファイバコード導入口から導入された光ファイバコードと、を有する情報コンセントにおいて、該コンセントボックスに収容された該光ファイバコードの少なくとも一部が、本発明に係る光ファイバコードであることを特徴とする情報コンセントである。
【００１９】
また、本発明に係る情報コンセントは、光ファイバコード導入口を有するコンセントボックスと、該光ファイバコード導入口から導入され、且つ光コネクタによって終端された光ファイバコードと、を有する情報コンセントにおいて、該コンセントボックスに収容された該光ファイバコードの少なくとも一部が、本発明に係る光ファイバコードであることを特徴とする情報コンセントである。
【００２０】
また、本発明に係る光ファイバ配線方法は、光ファイバケーブルから分岐した分岐光ファイバコードの端部に、他の光ファイバコードの端部又は他の光ファイバケーブルから分岐した他の分岐光ファイバコードの端部を接続する光ファイバ配線方法において、前記分岐光ファイバコード、前記他の光ファイバコード又は前記他の分岐光ファイバコードのうち１以上の光ファイバコードの少なくとも一部が、本発明に係る光ファイバコードであることを特徴とする光ファイバ配線方法である。
【００２１】
また、本発明に係る光ファイバ配線方法は、光接続箱に収容された光ファイバコードの端部に、他の光ファイバコードの端部又は光ファイバケーブルから分岐した分岐光ファイバコードの端部を前記光接続箱の外部から接続する光ファイバ配線方法において、前記光ファイバコード、前記他の光ファイバコード又は前記分岐光ファイバコードのうち１以上の光ファイバコードの少なくとも一部が、本発明に係る記載の光ファイバコードであることを特徴とする光ファイバ配線方法である。
【００２２】
また、本発明に係る光ファイバ配線方法は、光ファイバケーブルから分岐して光接続箱に収容された本発明に係る光ファイバコードによって、該光ファイバケーブルと該光接続箱に設けられた光アダプタとを接続する光ファイバ配線方法であって、該光ファイバコードの螺旋部を引き伸ばすことによって、該光ファイバコードを終端する光コネクタを、該光アダプタに接続する光ファイバ配線方法である。
【００２３】
また、本発明に係る光ファイバ配線方法は、光ファイバケーブルから分岐して光接続箱に収容された光ファイバコードの少なくとも一部が、本発明に係る光ファイバコードである光ファイバコードによって、該光ファイバケーブルと該光接続箱に設けられた光アダプタとを接続する光ファイバ配線方法であって、該光ファイバコードの螺旋部を引き伸ばすことによって、該光ファイバコードを終端する光コネクタを、該光アダプタに接続する光ファイバ配線方法である。
【００２４】
また、本発明に係る光ファイバ配線方法は、光ファイバケーブルから分岐した分岐光ファイバコードの端部に、他の光ファイバコードの端部又は他の光ファイバケーブルから分岐した他の分岐光ファイバコードの端部を接続する光ファイバ配線方法において、前記分岐光ファイバコード、前記他の光ファイバコード又は前記他の分岐光ファイバコードのうち１以上の光ファイバコードの少なくとも一部に、螺旋直径が２５ｍｍ以下の螺旋部を形成した後に、前記分岐光ファイバコードの端部に、前記他の光ファイバコードの端部又は前記他の分岐光ファイバコードの端部を接続することを特徴とする光ファイバ配線方法である。
【００２５】
また、本発明に係る光ファイバ配線方法は、光接続箱に収容された光ファイバコードの端部に、他の光ファイバコードの端部又は光ファイバケーブルから分岐した分岐光ファイバコードの端部を前記光接続箱の外部から接続する光ファイバ配線方法において、前記光ファイバコード、前記他の光ファイバコード又は前記分岐光ファイバコードのうち１以上の光ファイバコードの少なくとも一部に、螺旋直径が２５ｍｍ以下の螺旋部を形成した後に、前記光ファイバコードの端部に、前記他の光ファイバコードの端部又は前記分岐光ファイバコードの端部を接続することを特徴とする光ファイバ配線方法である。
【００２６】
また、本発明に係る光ファイバ配線方法は、光ファイバケーブルから分岐して光接続箱に収容された光ファイバコードによって、該光ファイバケーブルと該光接続箱に設けられた光アダプタとを接続する光ファイバ配線方法において、該光ファイバコードの少なくとも一部に、螺旋直径が２５ｍｍ以下の螺旋部を形成した後に、該光ファイバコードを終端する光コネクタを、該光アダプタに接続することを特徴とする光ファイバ配線方法である。  
【００２７】
また、本発明に係る光ファイバ配線方法は、本発明に係る光ファイバコードの両端を、光信号を入出力する別々の光接続部にそれぞれ接続する光ファイバ配線方法であって、該光ファイバコードの螺旋部を引き伸ばすことによって、該両端を該別々の光接続部にそれぞれ接続する光ファイバ配線方法である。
【００２８】
また、本発明に係る光ファイバ配線方法は、本発明に係る光ファイバケーブルの両端を、光信号を入出力する別々の光接続部にそれぞれ接続する光ファイバ配線方法であって、該光ファイバケーブルの螺旋部を引き伸ばすことによって、該両端を該別々の光接続部にそれぞれ接続する光ファイバ配線方法である。
【００２９】
また、本発明に係る光ファイバ配線方法は、光ファイバコード又は光ファイバケーブルの両端を、光信号を入出力する別々の光接続部にそれぞれ接続する光ファイバ配線方法において、該光ファイバコード又は該光ファイバケーブルの少なくとも一部に、螺旋直径が２５ｍｍ以下の螺旋部を形成した後に、該両端を該別々の光接続部にそれぞれ接続することを特徴とする光ファイバ配線方法である。
【発明の効果】
【００３０】
本発明に係る光ファイバコードでは、螺旋形状の螺旋直径が小さく、取り扱いが容易で、光ファイバコードの余長処理を容易とすることができる。また、本発明に係る光ファイバコードでは、一般需要者が使用する汎用の光接続機器に光接続される光接続コードとして使用することができる。また、本発明に係る光ファイバケーブルでは、螺旋形状の螺旋直径が小さく、取り扱いが容易で、光ファイバケーブルの余長処理を容易とすることができる。また、本発明に係る光ファイバケーブルでは、一般需要者が使用する汎用の光接続機器に光接続される光接続ケーブルとして使用することができる。本発明に係る光ファイバ配線方法では、光ファイバコード又は光ファイバケーブルの配線を容易とする。
【発明を実施するための最良の形態】
【００３１】
以下、図を参照して本発明の実施の形態について具体的に説明するが、これらの記載に限定して解釈されない。
【００３２】
（実施の形態１）
図１に、本実施の形態に係る光ファイバコードの概略図を示す。本実施の形態に係る光ファイバコードは、光ファイバ心線４６が被覆された光ファイバコード１３で、螺旋部１６を有している。
【００３３】
ここで、図１に示す光ファイバコード１３の内部の構造について説明する。図２に、光ファイバコード１３を拡大した概略断面図を示す。光ファイバコード１３は、光信号が伝達するコア４１と、コア４１より屈折率の低いクラッド４３と、クラッド４３を保護するＵＶ被覆４４と、光ファイバ心線４６を保護する抗張力繊維４７及び外被覆４５と、からなる。このとき、光ファイバ心線４６は、コア４１と、クラッド４３と、からなる。
【００３４】
コア４１は、光のパワーの大部分が閉じ込められ、実際に光信号が伝送する部分である。
【００３５】
クラッド４３は、コア４１の外周を覆っており、コア４１の光の屈折率よりも屈折率が低い素材からなる。クラッド４３は、コア４１よりも屈折率が低いためにコア４１を伝送する光信号の外部への漏れを防止する。
【００３６】
ＵＶ被覆４４は、クラッド４３の外周を覆っており、外界の物体から保護してクラッド４３の表面への微小傷の発生を防ぐ。本実施の形態では、紫外線を照射することによって固化するＵＶ硬化性樹脂によるＵＶ被覆を行った。
【００３７】
抗張力繊維４７は、難燃性の繊維からなり、光ファイバ心線４６に機械的強度を持たせるために、ＵＶ被覆４４の外周を覆っている。
【００３８】
外被覆４５は、抗張力繊維４７の外周を覆っており、光ファイバ心線４６を外界の物体との接触からさらに保護するためのものである。本実施の形態では、外被覆４５として難燃性のプラスチックを用いた。なお、図２に示す光ファイバコード１３の内部構造は本実施の形態に係るもので、光ファイバ心線４６が、少なくとも外被覆４５によって覆われていれば、本発明に係る光ファイバコードとして使用することができる。
【００３９】
本実施の形態に係る光ファイバ心線４６は、曲げ半径が１２．５ｍｍにおける曲げ損失が０．０１ｄＢ／ターン以下である。従来の光ファイバ心線では、素材がガラスであり、曲げ損失が大きいことから、許容曲げ半径が３０ｍｍ程度と大きかった。しかし、曲げ半径が１２．５ｍｍにおける曲げ損失が０．０１ｄＢ／ターン以下である光ファイバ心線４６となる材料が開発された。ここで、光ファイバコード１３の曲げ半径は、光ファイバ心線４６の曲げ半径と一致する。光ファイバ心線４６の曲げ半径とは、光ファイバ心線４６を曲げたときの、光ファイバ心線４６の中心軸を弧とした円の半径をいう。以下、本明細書において同じである。
【００４０】
光ファイバ心線４６を図１に示す光ファイバコード１３に適用することで、光ファイバコード１３に螺旋直径１４が２５ｍｍ以下の螺旋部１６を形成することができる。ここで、光ファイバコード１３の螺旋直径１４とは、図１に示すように光ファイバコードを螺旋状態にしたとき、螺旋部１６を形成する光ファイバ心線４６の中心軸間の距離である。以下、本明細書において同じである。螺旋直径１４及び光ファイバコード１３の曲げ半径の定義から、半径Ｒの円筒に巻いた光ファイバコードの曲げ直径は、必ず光ファイバコードの螺旋直径よりも大きい。つまり、曲げ半径が１２．５ｍｍにおける曲げ損失が０．０１ｄＢ／ターン以下である光ファイバ心線４６を用いることで、光ファイバコード１３の螺旋直径１４を２５ｍｍにして、光ファイバコード１３の曲げ損失を０．０１ｄＢ／ターン以下とすることができる。
【００４１】
また、本実施の形態では、図２に示すコア直径６１が６μｍ以下又はクラッド直径６２が８０μｍ以下の光ファイバ心線４６を使用することもできる。コア直径６１を６μｍ以下又はクラッド直径６２を８０μｍ以下とすると、光ファイバ心線４６の直径が小さくなり、曲げ損失が減少し、曲げ半径を小さくできるため、図１に示す光ファイバコード１３に螺旋直径１４が２５ｍｍ以下の螺旋部１６を形成することができる。
【００４２】
また、本実施の形態では、光ファイバ心線４６をホーリーファイバとすることもできる。ここで、ホーリーファイバについて説明する。図３に、ホーリーファイバの拡大概略断面図を示す。ホーリーファイバ４０は、コア４１を覆っているクラッド４３の軸方向に複数の孔４２を有した構造となっている。ここで、図８に、従来の光ファイバ心線とホーリーファイバとの曲げ半径に対する曲げ損失を比較した図を示す。このグラフは、横軸に曲げ半径（ｍｍ）、縦軸に曲げ半径に対する曲げ損失（ｄＢ／ターン）をとる。各グラフは、従来のシングルモード型の曲げ損失特性（以下、ＳＭ５１）、分散シフトシングルモード型の曲げ損失特性（以下、ＤＳＭ５２）、ホーリーファイバの曲げ損失特性５３の３種類について、曲げ半径に対する曲げ損失を表したものである。
【００４３】
図８から、ホーリーファイバの曲げ損失特性５３の曲げ損失は、ＳＭ５１、ＤＳＭ５２と比較して小さく、曲げ半径１０ｍｍとしても曲げ損失を０．０１ｄＢ／ターン以下とすることができる。したがって、図２に示す光ファイバ心線４６として、図３に示すホーリーファイバ４０を使用して、螺旋直径１４が２５ｍｍ以下の螺旋部１６を形成することができる。
【００４４】
図１に示す光ファイバコード１３の螺旋部１６は、螺旋直径１４が２５ｍｍ以下である。螺旋部１６は、例えば、次のような方法によって形成することができる。１つの方法は、螺旋部１６を有していない光ファイバコード１３を金属棒に巻きつけて過熱し、その後冷やすことで、図２に示す外被覆４５としての難燃性プラスチックを変形させて螺旋形状に固定する方法である。このとき、螺旋部１６を形成する際には、光ファイバコードのコード直径を考慮して、螺旋直径１４よりコード直径の分だけ短い直径の金属棒を用いることが望ましい。例えば、光ファイバコードのコード直径が約３ｍｍの光ファイバコードに螺旋直径１４が２５ｍｍの螺旋部１６を形成する場合、金属棒の直径は、約２２ｍｍとすることが望ましい。また、加熱温度は約１００℃で、加熱時間は１０分〜３０分とすることが望ましい。
【００４５】
あるいは、１つの方法として、架橋法を用いてもよい。まず、螺旋部１６を有していない光ファイバコード１３の外被覆４５としての難燃性プラスチックに、熱、水分又は電子線を加えることで架橋結合する物質を混入する。次に、この光ファイバコードを金属棒に巻きつけ、熱、水分又は電子線を加えることで、外被覆４５としての難燃性プラスチックが、上記物質が架橋結合することによって螺旋形状に固定されるため、螺旋部１６を形成することができる。
【００４６】
上記方法によって螺旋部１６を形成することにより、図２に示す外被覆４５及び抗張力繊維４７を剥がすことで、まっすぐな光ファイバ心線４６を引き出すことができる。また、光ファイバコード１３に螺旋部１６を形成することで、光ファイバコード１３にばね剛性が発生し、光ファイバコード１３自体が縮まろうとするため、誤って光ファイバコード１３が伸ばされたとしても、螺旋部１６が光ファイバコード１３の伸びを吸収し、光ファイバ心線４６を破損させることがない。また、光ファイバコード１３に螺旋部１６を形成することで、見かけ上のコードの太さが太くなるために、複数の光ファイバコード１３を乱雑に収納しても光ファイバコード１３同士の絡みを防止し、光ファイバコード１３の扱いが容易となる。また、光ファイバコードの螺旋直径１４が２５ｍｍ以下であれば、持ち運びにも便利で、一般需要者が使用するノートＰＣ等の汎用の光接続機器に接続される光接続コードとして光ファイバコード１３を用いることができる。
【００４７】
なお、図１に示した光ファイバコード１３は、１本の光ファイバコードに螺旋部１６を形成したものであるが、複数の光ファイバコードを平行に並べてそれぞれを結合させることによって平面状にした光ファイバコードに螺旋部を形成した光ファイバコードとしてもよい。また、図１では、断面形状が円である光ファイバコードに螺旋部１６を形成した形態を示したが、螺旋部１６が形成できれば、光ファイバコードの断面形状は、いかなるものであってもよい。
【００４８】
また、本実施の形態では、光ファイバコードについて説明したが、図１に示す光ファイバコードを、螺旋直径が２５ｍｍ以下の螺旋部を有する光ファイバケーブルに換えることができる。本発明に係る光ファイバケーブルは、図１に示す光ファイバコード１３が備える光ファイバ心線４６又は螺旋部１６を有していない光ファイバコード１３のいずれかを複数束ねて外周を被覆した光ファイバケーブルである。図９、図１０、図１１に、本発明に係る光ファイバケーブルの一例である光ファイバケーブルの概略断面図を示す。光ファイバケーブル５０は、光ファイバコード４９と、光ファイバコード４９を保護する抗張力線４８及び外被覆４５と、からなる。この他に、図１０及び図１１に示すように、外被覆４５に、外被覆４５を裂くための切り欠き３７を設けてもよい。
【００４９】
光ファイバコード４９は、図１に示す螺旋部１６を有していない光ファイバコード１３と同様のものが、２本束ねられたものである。
【００５０】
抗張力線４８は、鋼線を複数束ねたものである。光ファイバコード４９に機械的強度を持たせるためである。なお、抗張力線４８は、鋼線以外にも繊維強化プラスチック（ＦＲＰ）、アラミド繊維（芳香族ポリアミド繊維）を束ねたもの等の強化材も適用することができる。
【００５１】
外被覆４５は、ポリエチレンやポリ塩化ビニルからなる。なお、図９に示す光ファイバケーブル５０の内部構造は本発明に係る光ファイバケーブルの１例で、複数の光ファイバコード又は光ファイバ心線が、少なくとも外被覆４５によって覆われていれば、本発明に係る光ファイバケーブルとして使用することができる。
【００５２】
切り欠き３７は、図１０に示すように、光ファイバケーブル５０の上下側面に２箇所ずつで抗張力線４８を分断する位置に、光ファイバケーブル５０と平行に設けたものとしてもよいし、図１１に示すように上下側面に１箇所ずつで光ファイバコード４９と同じ位置に、光ファイバケーブル５０と平行に設けたものとしてもよい。
【００５３】
光ファイバケーブル５０の配線時に、光ファイバコード４９内の光ファイバ心線を露出させる場合がある。このとき、図１０に示す切り欠き３７で、図面左右方向に外被覆４５を裂くことによって抗張力線４８を光ファイバケーブル５０から分断することができ、光ファイバコード４９部分の外被覆４５が剥がし易くなる。そのため、光ファイバケーブル５０の配線作業が楽になる。あるいは、図１１に示す切り欠き３７で、図面左右方向に外被覆４５を裂くことによって光ファイバコード４９が露出するため、光ファイバケーブル５０の配線作業が楽になる。
【００５４】
光ファイバケーブル５０は、その断面形状が長方形であるため、断面形状が、この長方形の長辺と同じ長さの直径の円である場合より断面２次モーメントが小さいことから、曲げやすい。そのため、光ファイバケーブル５０に、図１に示す螺旋部１６と同様の螺旋部を形成することができる。なお、図９では、断面形状が長方形である光ファイバケーブルの１例を示したが、図１に示す螺旋部１６と同様の螺旋部が形成できれば、光ファイバケーブルの断面形状は、いかなるものであってもよい。
【００５５】
なお、図１に示す光ファイバコードにおいて説明した螺旋部１６の形成方法は、上記光ファイバケーブル５０についても同様に適用することができる。
【００５６】
（実施の形態２）
図４に、本実施の形態に係る光ファイバケーブル端末部の透視概略図を示す。ただし、図４において、光接続箱１０は断面を示す。本実施の形態に係る光ファイバケーブル端末部１７は、光ファイバケーブル１２と、光ファイバケーブル１２から分岐した第１の実施形態に係る光ファイバコード１３と、光ファイバコード１３を収納する光接続箱１０と、を備えている。
【００５７】
光ファイバケーブル１２は、光ファイバを複数束ねて外周を被覆したものである。
【００５８】
光接続箱１０は、クロージャ、成端箱等の、内部で光信号を分岐させる箱で、光ファイバケーブル導入口１５から光ファイバケーブル１２が導入され、光ファイバケーブル１２から分岐した光ファイバコード１３を収納する。また、光接続箱１０は、光コネクタ２１ａと接続される光アダプタ２４ａを有する。
【００５９】
光ファイバコード１３は、第１の実施の形態で説明した光ファイバコードと同様である。光ファイバコード１３は、光ファイバケーブル１２の被覆を剥がすことで光ファイバケーブル１２から分岐させることができる。分岐した光ファイバコードの少なくとも一部を第１の実施の形態で説明した光ファイバコード１３とし、光ファイバコード１３の端部を光コネクタ２１ａによって終端する。このとき、光コネクタ２１ａは、光アダプタ２４ａに接続しても接続しなくてもよい。
【００６０】
従来では、光接続箱１０に収納される光ファイバコードの余長部を光接続箱に設けられたドラム、シート等の余長処理部材に巻きつけたり、収めたりすることで、光ファイバコードの余長処理を行っていた。しかし、本実施の形態の光ファイバケーブル端末部１７である光ファイバコード１３を光ファイバコードの余長部とすると、単に光接続箱１０に収納させておくだけでよく、余長処理を簡単にすることができる。また、余長処理部材を光接続箱１０に設ける必要がなく、光接続箱１０の形状を簡単なものとすることができる。また、光ファイバコード１３の長さを光ファイバケーブル１２と光アダプタ２４ａとの距離と略同じ長さとしても、光ファイバコード１３が余長部となるため、光ファイバコードに余長部を予め確保しておく必要がない。その結果、光接続箱１０の大きさを小さくすることができる。
【００６１】
ここで、光ファイバケーブル１２と光アダプタ２４ａとを接続する光ファイバ配線方法について説明する。光ファイバコード１３は螺旋部１６を有しているため、縮んだ状態の光ファイバコード１３は、螺旋部１６を引き伸ばして長くすることができる。つまり、光ファイバコード１３の長さが光ファイバケーブル１２と光アダプタ２４ａとの距離よりも短くても光ファイバコード１３の螺旋部１６を引き伸ばすことによって、光コネクタ２１ａを、光アダプタ２４ａに接続することで、光ファイバコード１３を配線することができる。
【００６２】
また、螺旋部１６を有していない光ファイバコード１３を、光ファイバケーブル１２と光アダプタ２４ａとの距離よりも長く取り、この光ファイバコードの少なくとも一部に螺旋部１６を形成した後に、端部を終端した光コネクタ２１ａと光アダプタ２４ａとを接続して、光ファイバコード１３を配線することもできる。従来では、余長部を含めて光ファイバコードの配線距離を精密に計算して光ファイバコードの長さを決めていたが、上記方法によって光ファイバコード１３を配線することにより、光ファイバコードの長さを適当に光ファイバケーブル１２と光アダプタ２４ａとの距離よりも長く取っても、余った部分を螺旋形状にして処理することができ、光ファイバコードの配線を簡単なものとすることができる。
【００６３】
（実施の形態３）
図５に、本実施の形態に係る光ファイバコード端末部の概略図を示す。ただし、図５において、光接続箱１０は断面を示す。本実施の形態に係る光ファイバコード端末部１８は、光接続箱１０と、光接続箱１０に設けられた光アダプタ２４ｂと、少なくとも一部が第１の実施形態に係る光ファイバコード１３と、光ファイバコード１３の一方の端部を終端し、且つ光アダプタ２４ｂと接続された光コネクタ２１ｂと、を有している。このとき、光ファイバコード１３の他方の端部が光コネクタ２１ｃによって終端されていてもよく、光ファイバコード１３の他方の端部を終端した光コネクタ２１ｃが光アダプタ２４ｃに接続されていてもよい。
【００６４】
光ファイバコード１３は、第１の実施の形態で説明した光ファイバコードと同様である。光接続箱１０、光コネクタ２１ｂ、２１ｃ及び光アダプタ２４ｂ、２４ｃは、第２の実施形態で説明した光接続箱、光コネクタ及び光アダプタと同様である。
【００６５】
光接続箱１０に光アダプタ２４ｂを介して接続された光ファイバコード１３は、室内等に設けられた別の光アダプタ２４ｃまで配線される。このとき、光ファイバコードの端末部を本実施の形態に係る光ファイバコード端末部１８とすると、光ファイバコードの配線過程において、誤って光ファイバコード１３が伸ばされたとしても、光ファイバコード端末部１８の螺旋部１６が光ファイバコード１３の伸びを吸収し、光ファイバ心線を破損させることがなく、光ファイバコードの配線作業を容易とすることができる。
【００６６】
ここで、光ファイバコード１３と光アダプタ２４ｂとを接続する光ファイバ配線方法について説明する。光ファイバコード１３は螺旋部１６を有しているため、縮んだ状態の光ファイバコード１３は、螺旋部１６を引き伸ばして長くすることができる。つまり、光ファイバコード１３の長さが光ファイバコード１３と光アダプタ２４ａとの距離よりも短くても光ファイバコード１３の螺旋部１６を引き伸ばすことによって、光コネクタ２１ｂを、光アダプタ２４ｂに接続することで、光ファイバコード１３を配線することができる。
【００６７】
また、螺旋部１６を有していない光ファイバコード１３を、光ファイバコード１３と光アダプタ２４ｂとの距離よりも長く取り、この光ファイバコードの少なくとも一部に螺旋部１６を形成した後に、端部を終端した光コネクタ２１ｂと光アダプタ２４ｂとを接続して、光ファイバコード１３を配線することもできる。従来では、余長部を含めて光ファイバコードの配線距離を精密に計算して光ファイバコードの長さを決めていたが、上記方法によって光ファイバコード１３を配線することにより、光ファイバコードの長さを適当に光ファイバコード１３と光アダプタ２４ｂとの距離よりも長く取っても、余った部分を螺旋形状にして処理することができ、光ファイバコードの配線を簡単なものとすることができる。
【００６８】
（実施の形態４）
図６に、本実施の形態に係る光ファイバ配線部の概略図を示す。ただし、図６において、配線管２３は断面を示す。本実施の形態に係る光ファイバ配線部１９は、屋内に設けられた配線管２３と、配線管２３にその一部が収容された第１の実施形態に係る光ファイバコード１３と、を有する。このとき、光ファイバコード１３の両端が光コネクタ２１ｄ、２１ｅによってそれぞれ終端されていてもよい。また、光ファイバコード１３の一方の端部を終端した光コネクタ２１ｅが、光分岐接続部２２に設けられた光接続部としての光アダプタ２４ｅに接続されていてもよく、光ファイバコード１３の他方の端部を終端した光コネクタ２１ｄが、光接続部としての光アダプタ２４ｄに接続されていてもよい。
【００６９】
配線管２３は、壁の中、床下又は天井裏等の屋内に設けられており、金属やプラスチック等の素材からなる。
【００７０】
光ファイバコード１３は、第１の実施の形態で説明した光ファイバコードと同様である。このとき螺旋部１６は、図６では配線管２３の途中に設けられているが、配線管２３のいずれの位置に設けてもよい。また、螺旋部１６は、配線管２３の外、つまり、配線管２３と光コネクタ２１ｄとの間、又は配線管２３と光コネクタ２１ｅとの間に設けてもよい。
【００７１】
光分岐接続部２２は、光信号を波長によって多重分離する波長多重分離機能を有していてもよいし、単に光信号を分岐させる分岐合波機能のみを有していてもよい。
【００７２】
なお、光コネクタ２１ｄ、２１ｅ及び光アダプタ２４ｄ、２４ｅは、第２の実施形態で説明した光コネクタ及び光アダプタと同様である。
【００７３】
光ファイバコードを配線管２３に配線するとき、後の新たな光ファイバコードの配線に備えて光ファイバコードに予め余長部を形成して配線する。したがって、光ファイバ配線部を本実施の形態に係る光ファイバ配線部１９とすると、光ファイバコード１３の少なくとも一部に形成された螺旋部１６が余長部となるため、光ファイバコードに余長部を予め確保しておく必要がない。また、配線管２３は、従来から配線管の直径が２５ｍｍ以下のものが推奨されている。したがって、螺旋部１６の螺旋直径を２５ｍｍ以下とすると、余長部となる螺旋部１６を配線管２３の中に配置することができ、光ファイバ配線部１９の確保すべきスペースが小さくなる。また、光ファイバコード１３の配線過程において、誤って光ファイバコード１３が伸ばされたとしても、光ファイバコード１３の螺旋部１６が光ファイバコード１３の伸びを吸収し、光ファイバ心線を破損させることがなく、光ファイバコードの配線作業を容易とすることができる。
【００７４】
なお、本実施の形態では、配線管２３にその一部が収容された光ファイバコード１３について説明したが、配線管２３に、第１の実施の形態で説明した光ファイバケーブルの一部を収容することもできる。
【００７５】
ここで、光ファイバコード１３の両端をそれぞれ別々の光接続部に接続する光ファイバ配線方法について説明する。光ファイバコード１３は螺旋部１６を有しているため、縮んだ状態の光ファイバコード１３は、螺旋部１６を引き伸ばして長くすることができる。つまり、光ファイバコード１３の長さが光アダプタ２４ｄ、２４ｅよりも短くても光ファイバコード１３の螺旋部１６を引き伸ばすことによって、光コネクタ２１ｄを光接続部としての光アダプタ２４ｄに接続し、光コネクタ２１ｅを光接続部としての光アダプタ２４ｅに接続することで、光ファイバコード１３を配線することができる。
【００７６】
また、螺旋部１６を有していない光ファイバコード１３を光アダプタ２４ｄと光アダプタ２４ｅとの距離よりも長く取り、光ファイバコードの少なくとも一部に螺旋部１６を形成した後に、光コネクタ２１ｄを光接続部としての光アダプタ２４ｄに接続し、光コネクタ２１ｅを光接続部としての光アダプタ２４ｅに接続することにより、光ファイバコード１３を配線することができる。従来では、余長部を含めて光ファイバコードの配線距離を精密に計算して光ファイバコードの長さを決めていたが、上記方法によって光ファイバコード１３を配線することにより、光ファイバコードの長さを適当に、光アダプタ２４ｄと光アダプタ２４ｅとの距離よりも長く取っても、余った部分を螺旋形状にして処理することができ、光ファイバコードの配線を簡単なものとすることができる。
【００７７】
なお、上記配線方法では、光コネクタと光アダプタとを接続して光ファイバコードを配線する配線方法を説明したが、光ファイバコード１３の両端が光コネクタによって終端されていない場合、光ファイバ心線の両端をそれぞれ、別の光ファイバ心線の端部と、融着接続又はメカニカル接続によって接続することで光ファイバコードを配線してもよい。このとき、光ファイバ心線同士の結合部が光接続部となる。
【００７８】
なお、本実施の形態では、光ファイバコード１３の両端をそれぞれ別々の光接続部に接続する光ファイバ配線方法について説明したが、配線管２３に第１の実施の形態で説明した光ファイバケーブルの一部を収容する場合は、この光ファイバケーブルの両端をそれぞれ別々の光接続部に接続する光ファイバ配線方法として、前述した光ファイバコード１３の両端をそれぞれ別々の光接続部に接続する光ファイバ配線方法を同様に適用することができる。
【００７９】
（実施の形態５）
図７に、本実施の形態に係る情報コンセントの概略図を示す。ただし、図７において、光ファイバコード１３、光コネクタ２１ｆ以外は断面を示す。情報コンセント１１は、電気用コンセントに電気機器のプラグを差し込んで電気機器に電力を供給するように、ＰＣ等の光接続機器の光コネクタを差し込んで、光信号を光接続機器に入力、又は光接続機器から出力される光信号を外部に出力するための光信号入出力口である。本実施の形態に係る情報コンセント１１は、光ファイバコード導入口３６を有するコンセントボックス３１と、光ファイバコード導入口３６から導入された第１の実施形態に係る光ファイバコード１３と、光ファイバコード１３の一方の端部を終端する光コネクタ２１ｆと、を有する。このほかに、コンセントボックス３１の蓋であるコンセントパネル３２を有していてもよい。
【００８０】
コンセントボックス３１は、室内を配線された光ファイバコードを導入する光ファイバコード導入口３６を有する。コンセントボックス３１は、図７に示すように室内の壁３３に埋め込まれていてもよい。
【００８１】
コンセントパネル３２は、軸３４を中心に回転する扉であり、光ファイバコード１３を収納したコンセントボックス３１の蓋となる。
【００８２】
光ファイバコード１３は、少なくとも一部が第１の実施の形態に係る光ファイバコードと同様のものである。このとき、光ファイバコード１３は、コンセントボックス３１から引き出すことができるようにしてもよいし、コンセントボックス３１に完全に収容されて、光コネクタ２１ｆがコンセントパネル３２に固定されていてもよい。
【００８３】
コンセントボックス３１の大きさは、ＪＩＳＣ８３４０によって５６×１０２×３５ｍｍに規定されている。そのため、螺旋直径が６０ｍｍの螺旋部を有する従来の光ファイバコードは、コンセントボックス３１に収容することができなかった。しかし、螺旋部１６の螺旋直径を２５ｍｍ以下とすると、上記大きさのコンセントボックス３１に光ファイバコード１３を収容することができる。そのため、情報コンセント１１の使用時に、コンセントボックス３１に収容されていた光ファイバコード１３を引き伸ばしてＰＣ等の光接続機器に光コネクタ２１ｆを直接接続することができる。また、光ファイバコード１３をコンセントボックス３１に完全に収容して、光コネクタ２１ｆをコンセントパネル３２に固定してもよく、この場合は、光ファイバコード１３を余長部とすることができる。
【００８４】
（実施の形態６）
図１２に、本実施形態に係る光ファイバコード端末部の概略構成図を示す。図１２に示す光ファイバコード端末部２５は、光ファイバケーブル１２から分岐した光ファイバコード３８の端部に、光ファイバコード３９の端部が接続されている。
【００８５】
ここで、光ファイバコード３９は、光ファイバコード３９の少なくとも一部を、第１実施形態で説明した光ファイバコードとしている。
【００８６】
本実施形態では、光ファイバコード３８と光ファイバコード３９とは、Ｖ溝５４を有するＶ溝部材５５によるメカニカル接続により接続されている。
【００８７】
メカニカル接続とは、Ｖ溝５４により光ファイバの軸を合わせて光ファイバの端面同士を突き合わせることにより光結合させるものである。メカニカル接続は、例えば架空クロージャ内でのアクセス光ケーブル〜ドロップケーブル間の接続、屋外又は屋内の成端箱内でのドロップケーブル〜インドアケーブル間の接続に適用することができる。
【００８８】
なお、メカニカル接続では、通常Ｖ溝部材５５の上部に蓋をするように光ファイバ心線６９、７０を抑える押さえ部材を設けるが、図１２では、光ファイバ同士の接続の状態を示すため、押さえ部材は図示していない。
【００８９】
このように、光ファイバコード端末部２５において、光ファイバコード３９が螺旋部１６を有することにより、誤って光ファイバコード３８、３９が伸ばされても螺旋部１６が伸長して伸びが吸収される。そのため、光ファイバコード３８、３９内の光ファイバ心線６９、７０を破損させることがない。
【００９０】
ここで、メカニカル接続による接続手順について説明する。
【００９１】
まず、光ファイバコード３８及び光ファイバコード３９の被覆を剥がしてそれぞれの光ファイバ心線６９、７０を露出させる。次に、Ｖ溝部材５５と押さえ部材（不図示）とを有するメカニカルプライス素子をメカニカル接続のための接続補助具（不図示）に固定する。
【００９２】
メカニカルプライス素子のＶ溝部材５５と押さえ部材との間にくさびを挿入して隙間を開け、光ファイバコード３８の光ファイバ心線７０をＶ溝５４に沿って光ファイバ挿入部５６ａから挿入する。また、光ファイバコード３９の光ファイバ心線６９をＶ溝５４に沿って光ファイバ挿入部５６ｂから挿入して光ファイバ心線６９、７０の端面同士を突き合わせる。このとき、挿入している光ファイバ心線６９の端面が光ファイバ心線７０の端面に突き当たれば、突き合わせが完了する。
【００９３】
最後に、くさびをメカニカルプライス素子から引き抜き、メカニカルプライス素子を接続補助具から取り出して接続が完了する。
【００９４】
このように、メカニカル接続では、アクティブな機器等の接続補助具が必要なく、接続の構造が簡単である。また、Ｖ溝５４を多数設けることにより、多心接続が可能となる。また、低損失での接続が可能である。
【００９５】
なお、本実施形態では、光ファイバコード３９は、光ファイバコードの少なくとも一部を、第１実施形態で説明した光ファイバコードとしている。また、光ファイバコード３９は、光ファイバケーブル１２から分岐した光ファイバコード３８に接続している。本実施形態は光ファイバコード端末部の一例であり、光ファイバケーブル１２から分岐した光ファイバコード３８の少なくとも一部を、第１実施形態で説明した光ファイバコードとしてもよい。また、光ファイバケーブルから分岐した光ファイバコード同士を接続してもよい。このとき、少なくとも一方の光ファイバコードの少なくとも一部を、第１実施形態で説明した光ファイバコードとしてもよい。第１実施形態で説明した光ファイバコード同士を接続することにより光ファイバコードの螺旋部の伸び量も多いため、光ファイバコード３８、３９内の光ファイバ心線６９、７０をより破損させることが少ない。
【００９６】
また、本実施形態では、光ファイバコード３８と光ファイバコード３９とをメカニカル接続により接続したが、光ファイバコード３８と光ファイバコード３９との接続方法として、例えば融着接続、コネクタ接続等の接続方法も適用することができる。
【００９７】
ここで、光ファイバコード３８及び光ファイバコード３９を融着接続により接続した場合の接続手順について説明する。まず、光ファイバコード３８及び光ファイバコード３９の被覆を剥がしてそれぞれの光ファイバ心線６９、７０を露出させる。次に、互いの光ファイバ心線６９、７０の軸を合わせて一定間隔を置いてそれぞれの光ファイバ心線６９、７０を固定する。次に、光ファイバ心線６９、７０をそれぞれ挟むように固定された２本の電極棒間に高電圧を印加して、光ファイバ心線６９、７０の端部のみを加熱し、光ファイバ心線６９、７０の先端部をそれぞれ形成する。
【００９８】
次に、アーク放電により光ファイバ心線６９、７０の先端部を加熱して溶融させる。光ファイバ心線６９、７０の端面が溶融した状態で互いの光ファイバ心線６９、７０の端面同士を突き合わせて融着させて接続が完了する。このとき、溶融した光ファイバ心線６９、７０の表面張力により自己調心作用が働く。
【００９９】
融着接続は、低損失の接続が可能な点で有効である。
【０１００】
同様に、光ファイバコード３８及び光ファイバコード３９をコネクタ接続により接続した場合の接続手順について説明する。コネクタ接続は、光ファイバ心線６９の端部にコネクタを形成し、光ファイバ心線７０の端部にコネクタを形成してコネクタ同士を光アダプタを介して接続して接続が完了する。コネクタは、光ファイバコード３９の被覆を剥いで露出させた光ファイバ心線６９の端部をフェルールに通した後に、フェルールの外側をハウジングして形成する。光ファイバコード３８についても同様である。
【０１０１】
コネクタ接続は、光アダプタを介してコネクタ同士を接続するので、光ファイバコード同士の接続が容易である。
【０１０２】
ここで、光ファイバコード３８と光ファイバコード３９とを、上述したメカニカル接続、融着接続又はコネクタ接続等の接続方法により接続する光ファイバ配線方法について説明する。
【０１０３】
光ファイバコード３８及び光ファイバコード３９を接続するには、光ファイバコード３８の端部を固定し、固定された端部に、螺旋部１６を引き伸ばすようにして光ファイバコード３９の端部を接近させて接続する。
【０１０４】
このような光ファイバコード３８及び光ファイバコード３９の接続では、螺旋部１６が伸長する。そのため、配線長さを厳密に計算することなく光ファイバコード３８と光ファイバコード３９とを接続することができる。また、螺旋部１６が伸長するため、光ファイバコード３８と光ファイバコード３９との配線が簡単である。
【０１０５】
また、光ファイバコード３８と光ファイバコード３９とを接続する光ファイバコード配線方法は次のようなものも可能である。
【０１０６】
螺旋部１６を有していない光ファイバコード３９を光ファイバコード３８の端部までの長さよりも長く取り、光ファイバコード３９の少なくとも一部に螺旋部１６を形成した後に、光ファイバコード３８と光ファイバコード３９とを接続する。
【０１０７】
このような光ファイバコード３８及び光ファイバコード３９の接続では、光ファイバコード３９の長さを適当にとっても、光ファイバコードの余長部分を螺旋部１６として処理できるため、別途余長処理を行う必要がなく配線が簡単である。また、余長処理を行う必要がないため、その分接続時間を短縮できる。
【０１０８】
（実施の形態７）
図１３に、本実施形態に係る光ファイバコード端末部の概略構成図を示す。本実施形態に係る光ファイバコード端末部２７は、光接続箱１０に収容された光ファイバコード６３の端部に、他の光ファイバコード６４の端部が光接続箱１０の外部から接続されている。
【０１０９】
ここで、光ファイバコード６３は、光ファイバケーブル１２から分岐したもので、光ファイバケーブル１２と光ファイバコード６３との間に余長部５８を形成している。また、光ファイバ６４は、光ファイバコードの少なくとも一部を、第１実施形態で説明した光ファイバコードとしたものである。
【０１１０】
また、光ファイバコード６３及び光ファイバコード６４は、接続部５９により接続されている。この接続部５９では、第６実施形態で説明したメカニカル接続又は融着接続等の接続方法を適用することができる。
【０１１１】
また、光ファイバコード端末部２８のように、光接続箱１０の外部から配線される光ファイバコード６５と光ファイバケーブル１２から分岐した光ファイバコード６６とを光コネクタ２１ｍ、２１ｎ及び光アダプタ２４ｋによるコネクタ接続により接続してもよい。
【０１１２】
ここで、光ファイバコード６５は、光ファイバコードの少なくとも一部を、第１実施形態で説明した光ファイバコードとしたものである、また、光ファイバコード６５の他方の端部は、光コネクタ２１ｐにより終端されている。
【０１１３】
光ファイバコード端末部２７のように光ファイバコード６４が螺旋部１６を有することにより、誤って光ファイバコード６４、６３が伸ばされても螺旋部１６が伸長して伸びが吸収される。そのため、光ファイバコード６３、６４内の光ファイバ心線を破損させることがない。また、光ファイバコード６４が螺旋部１６を有することにより、光ファイバコード６４と光ファイバコード６３とを接続して配線する際に螺旋部１６が伸長する。そのため、配線長さを厳密に計算することなく接続することができる。また、螺旋部１６が伸長するため、光ファイバコード６４と光ファイバコード６３との配線が簡単である。また、光ファイバコード６４の長さを適当にとっても、光ファイバコードの余長部分を螺旋部１６として処理できるため、別途余長処理を行う必要がなく配線が簡単であり接続時間を短縮できる。また、光ファイバコード端末部２８のように、光ファイバコード６５の他方の端部を光コネクタ２１ｐで終端し、アダプタ・コネクタ等を介して情報端末部（不図示）に配線する場合、螺旋部１６が伸縮するため、情報端末部を固定設置することなく、自由に移動することができる。
【０１１４】
なお、本実施形態では、光ファイバコード６４は、光ファイバコードの少なくとも一部を、第１実施形態で説明した光ファイバコードとしている。また、光ファイバコード６４は、光ファイバケーブル１２から分岐した光ファイバコード６３に接続している。本実施形態は光ファイバコード端末部の一例であり、光ファイバケーブル１２から分岐した光ファイバコード６３の少なくとも一部を、第１実施形態で説明した光ファイバコードとしてもよい。また、光ファイバケーブル１２から分岐した光ファイバコード同士を接続してもよい。このとき、少なくとも一方の光ファイバコードの少なくとも一部を、第１実施形態で説明した光ファイバコードとしてもよい。
【０１１５】
光ファイバコード６３の少なくとも一部に螺旋部を有することにより、光ファイバコード６３の余長部を螺旋部として処理できる。そのため、余長部５８のように光ファイバコード６３の許容曲げ半径の円形状にする必要がなく、光接続箱１０自体の大きさをコンパクト化することができる。
【０１１６】
また、光ファイバケーブルから分岐した光ファイバコード同士を接続し、少なくとも一方の光ファイバコードの少なくとも一部を、第１実施形態で説明した光ファイバコードとしてもよい。螺旋部を有する光ファイバコード同士を接続することにより、光ファイバコードの両方の側で余長処理を省くことができるため、さらに接続時間を短縮することができる。
【０１１７】
ここで、光ファイバコード６３と光ファイバコード６４とを、上述したメカニカル接続、融着接続又はコネクタ接続等の接続方法により接続する光ファイバ配線方法の１例について説明する。
【０１１８】
光ファイバコード６３及び光ファイバコード６４を接続するには、光ファイバコード６３の端部を固定し、固定された端部に、螺旋部１６を引き伸ばすようにして光ファイバコード６４の端部を接近させて接続する。
【０１１９】
このような光ファイバコード６３及び光ファイバコード６４の接続では、螺旋部１６が伸長するため、配線長さを厳密に計算することなく接続することができる。また、螺旋部１６が伸長するため、光ファイバコード６３と光ファイバコード６４との配線が簡単である。
【０１２０】
また、光ファイバコード６３と光ファイバコード６４とを接続する光ファイバコード配線方法は次のようなものも可能である。
【０１２１】
螺旋部１６を有していない光ファイバコード６４を光ファイバコード６３の端部までの長さよりも長く取り、光ファイバコード６４の少なくとも一部に螺旋部１６を形成した後に、光ファイバコード６３と光ファイバコード６４とを接続する。
【０１２２】
このような光ファイバコード６３及び光ファイバコード６４の接続では、光ファイバコード６４の長さを適当にとっても、光ファイバコード６４の余長部分を螺旋部１６として処理できるため、別途余長処理を行う必要がない。また、螺旋部１６が伸長するため、光ファイバコード６３と光ファイバコード６４との配線が簡単である。そのため、光ファイバコード６３と光ファイバコード６４との接続時間を短縮できる。
【０１２３】
（実施の形態８）
図１４に、本実施の形態に係る情報コンセントの概略図を示す。ただし、図１４において、光ファイバコード６７以外は断面を示す。情報コンセント６８は、電気用コンセントに電気機器のプラグを差し込んで電気機器に電力を供給するように、例えばＰＣ等の光接続機器に光コネクタを差し込んで、光信号を光接続機器に入力、又は光接続機器から出力される光信号を外部に出力するための光信号入出力口である。本実施の形態に係る情報コンセント６８は、光ファイバコード導入口３６を有するコンセントボックス３１と、光ファイバコード導入口３６から導入された光ファイバコード６７と、を有する。この他に、コンセントボックス３１の蓋であるコンセントパネル３２を有していてもよい。
【０１２４】
コンセントボックス３１は、室内を配線された光ファイバコードを導入する光ファイバコード導入口３６を有する。コンセントボックス３１は、図１４に示すように室内の壁３３に埋め込まれていてもよい。
【０１２５】
コンセントパネル３２は、軸３４を中心に回転する扉であり、光ファイバコード６７を収納したコンセントボックス３１の蓋となる。
【０１２６】
光ファイバコード６７は、光ファイバコードの少なくとも一部を、第１の実施の形態に係る光ファイバコードとしたものである。また、光ファイバコード６７の端部は、第６実施形態で説明したメカニカル接続、融着接続又はコネクタ接続等の接続方法によって他の光ファイバと接続できるように端面としている。このとき、光ファイバコード６７は、コンセントボックス３１から引き出すことができるようにしてもよいし、コンセントボックス３１に完全に収容されて、光ファイバコード６７の端部がコンセントパネル３２に固定されていてもよい。
【０１２７】
コンセントボックス３１の大きさは、ＪＩＳＣ８３４０によって５６×１０２×３５ｍｍに規定されている。そのため、螺旋直径が６０ｍｍの螺旋部を有する従来の光ファイバコードは、コンセントボックス３１に収容することができなかった。しかし、螺旋部１６の螺旋直径を２５ｍｍ以下とすると、上記大きさのコンセントボックス３１に光ファイバコード６７を収容することができる。そのため、情報コンセント６８の使用時に、コンセントボックス３１に収容されていた光ファイバコード６７を引き伸ばしてＰＣ等の光接続機器にコネクタ接続により直接接続することができる。また、光ファイバコード６７をコンセントボックス３１に完全に収容して、光ファイバコード６７の端部をコンセントパネル３２に固定してもよい。この場合は、光ファイバコード６７を余長部とすることができる。
【０１２８】
（実施の形態９）
図１５に、本実施の形態に係る光ファイバ配線部の概略図を示す。ただし、図１５において、配線管２３、５７は断面を示す。本実施の形態に係る光ファイバ配線部２６は、屋内に設けられた配線管２３と、配線管２３に収容された光ファイバコード７１と、を有する。
【０１２９】
光ファイバコード７１は、配線管２３の全体に渡って収容されている。また、光ファイバコード７１は、光ファイバコードの少なくとも一部を、第１実施形態で説明した光ファイバコードとしたものである。本実施形態では、光ファイバコード７１の両端が光コネクタ２１ｇ、２１ｈによってそれぞれ終端されている。また、光ファイバコード７１の一方の端部を終端した光コネクタ２１ｈが、光分岐接続部２２に設けられた光接続部としての光アダプタ２４ｇに接続されている。また、光ファイバコード７１の他方の端部を終端した光コネクタ２１ｇが、光接続部としての光アダプタ２４ｆに接続されている。
【０１３０】
配線管２３は、壁の中、床下又は天井裏等の屋内に設けられており、金属やプラスチック等の素材からなる。また、本実施形態では配線管２３は、直線形状をしているが、光ファイバ配線部２９の配線管５７のように途中で曲がっていてもよい。光ファイバコード７２は螺旋部１６が伸長するため、当然に光ファイバコード７２を配線管５７の中を配線することができる。
【０１３１】
光分岐接続部２２は、光信号を波長によって多重分離する波長多重分離機能を有していてもよいし、単に光信号を分岐させる分岐合波機能のみを有していてもよい。
【０１３２】
なお、光コネクタ２１ｇ、２１ｈ、２１ｊ、２１ｋ及び光アダプタ２４ｆ、２４ｇ、２４ｈ、２４ｊは、第２の実施形態で説明した光コネクタ及び光アダプタと同様である。
【０１３３】
このように、光ファイバ配線部を本実施形態に係る光ファイバ配線部２６とすると、光ファイバコード７１の少なくとも一部に形成された螺旋部１６が余長部となるため、光ファイバコードに余長部を予め確保しておく必要がない。また、配線管２３は、従来から配線管の直径が２５ｍｍ以下のものが推奨されている。したがって、螺旋部１６の螺旋直径を２５ｍｍ以下とすると、余長部となる螺旋部１６を配線管２３の中に配置することができ、光ファイバ配線部２６の確保すべきスペースが小さくなる。また、光ファイバコード７１の配線過程において、誤って光ファイバコード７１が伸ばされたとしても、光ファイバコード７１の螺旋部１６が光ファイバコード７１の伸びを吸収し、光ファイバ心線を破損させることがなく、光ファイバコードの配線作業を容易とすることができる。
【０１３４】
なお、本実施形態では、配線管２３にその全体が収容された光ファイバコード７１について説明したが、光ファイバケーブルの少なくとも一部を第１の実施の形態で説明した光ファイバケーブルとして、配線管２３に光ファイバケーブルの全体を収容することもできる。
【０１３５】
ここで、光ファイバコード７１の両端をそれぞれ別々の光接続部に接続する光ファイバ配線方法について説明する。縮んだ状態の光ファイバコード７１は、螺旋部１６を引き伸ばして長くすることができる。つまり、光ファイバコード７１の長さが光アダプタ２４ｆから光アダプタ２４ｇまでの長さよりも短くても光ファイバコード７１の螺旋部１６を引き伸ばすことによって、光コネクタ２１ｇを光接続部としての光アダプタ２４ｆに接続し、光コネクタ２１ｈを光接続部としての光アダプタ２４ｇに接続することで、光ファイバコード７１を配線することができる。
【０１３６】
また、螺旋部１６を有していない光ファイバコード７１を光アダプタ２４ｆと光アダプタ２４ｇとの距離よりも長く取り、光ファイバコード７１の少なくとも一部に螺旋部１６を形成した後に、光コネクタ２１ｇを光接続部としての光アダプタ２４ｆに接続し、光コネクタ２１ｈを光接続部としての光アダプタ２４ｇに接続することにより、光ファイバコード７１を配線することができる。従来では、余長部を含めて光ファイバコードの配線距離を精密に計算して光ファイバコードの長さを決めていた。しかし、上記方法によって光ファイバコード７１を配線することにより、光ファイバコードの長さを適当に、光アダプタ２４ｆと光アダプタ２４ｇとの距離よりも長く取っても、余った部分を螺旋形状にして処理することができ、光ファイバコードの配線を簡単なものとすることができる。
【０１３７】
なお、上記配線方法では、光コネクタと光アダプタとを接続することによって、光ファイバコードを配線する配線方法を説明した。本実施形態は、光ファイバ配線方法の一例であり、光ファイバコード７１の両端が光コネクタによって終端されていなくてもよい。この場合、光ファイバ心線の両端をそれぞれ別の光ファイバ心線の端部に、第６実施形態で説明した融着接続又はメカニカル接続によって接続することで光ファイバコードを配線してもよい。このとき、光ファイバ心線同士の結合部が光接続部となる。
【０１３８】
なお、本実施の形態では、光ファイバコード７１の両端をそれぞれ別々の光接続部に接続する光ファイバ配線方法について説明したが、配線管２３に第１実施の形態で説明した光ファイバケーブルの全体を収容する場合は、この光ファイバケーブルの両端をそれぞれ別々の光接続部に接続する光ファイバ配線方法として、前述した光ファイバコード７１の両端をそれぞれ別々の光接続部に接続する光ファイバ配線方法を同様に適用することができる。
【産業上の利用可能性】
【０１３９】
本発明に係る光ファイバコードは、光接続機器間を接続する光接続コードとしての用途にも適用することができる。また、本発明に係る光ファイバケーブルは、光接続機器間を接続する光接続ケーブルとしての用途にも適用することができる。  
【図面の簡単な説明】
【０１４０】
【図１】本発明に係る光ファイバコードの１の実施形態を示した概略図である。
【図２】本発明に係る光ファイバコードの１の実施形態である光ファイバコードの拡大概略断面図である。
【図３】ホーリーファイバの拡大概略断面図である。
【図４】本発明に係る光ファイバケーブル端末部の１の実施形態を示した透視概略図である。
【図５】本発明に係る光ファイバコード端末部の１の実施形態を示した概略図である。
【図６】本発明に係る光ファイバ配線部の１の実施形態を示した概略図である。
【図７】本発明に係る情報コンセントの１の実施形態を示した概略図である。
【図８】従来の光ファイバ心線とホーリーファイバとの曲げ半径に対する曲げ損失を比較した図である。
【図９】本発明に係る光ファイバケーブルの１例である光ファイバケーブルの概略断面図である。
【図１０】本発明に係る光ファイバケーブルの１例である光ファイバケーブルの概略断面図である。
【図１１】本発明に係る光ファイバケーブルの１例である光ファイバケーブルの概略断面図である。
【図１２】本発明に係る光ファイバコード端末部の１の実施形態を示した概略構成図である。
【図１３】本発明に係る光ファイバコード端末部の１の実施形態を示した概略構成図である。
【図１４】本発明に係る情報コンセントの１の実施形態を示した概略図である。
【図１５】本発明に係る光ファイバ配線部の１の実施形態を示した概略図である。
【符号の説明】
【０１４１】
１０  光接続箱
１１  情報コンセント
１２  光ファイバケーブル
１３  光ファイバコード
１４  螺旋直径
１５  光ファイバケーブル導入口
１６  螺旋部
１７  光ファイバケーブル端末部
１８  光ファイバコード端末部
１９  光ファイバ配線部
２１ａ、２１ｂ、２１ｃ、２１ｄ、２１ｅ、２１ｆ  光コネクタ
２２  光分岐接続部
２３  配線管
２４ａ、２４ｂ、２４ｃ、２４ｄ、２４ｅ  光アダプタ
３１  コンセントボックス
３２  コンセントパネル
３３  壁
３４  軸
３６  光ファイバコード導入口
３７  切り欠き
４０  ホーリーファイバ
４１  コア
４２  孔
４３  クラッド
４４  ＵＶ被覆
４５  外被覆
４６  光ファイバ心線
４７  抗張力繊維
４８  抗張力線
４９  光ファイバコード
５０  光ファイバケーブル
５１  ＳＭ
５２  ＤＳＭ
５３  ホーリーファイバの曲げ損失特性
６１  コア直径
６２  クラッド直径
２１ｇ、２１ｈ、２１ｊ、２１ｋ、２１ｍ、２１ｎ、２１ｐ  光コネクタ
２４ｆ、２４ｇ、２４ｈ、２４ｊ、２４ｋ  光アダプタ
２５、２７、２８  光ファイバコード端末部
２６、２９  光ファイバ配線部
３８、３９  光ファイバコード
５４  Ｖ溝
５５  Ｖ溝部材
５６ａ、５６ｂ  光ファイバ挿入部
５８  余長部
５９  接続部
６３、６４、６５、６６、６７、７１、７２  光ファイバコード
６８  情報コンセント
６９、７０  光ファイバ心線
【図１】
2005165303.tif 000003
【図２】
2005165303.tif 000004
【図３】
2005165303.tif 000005
【図４】
2005165303.tif 000006
【図５】
2005165303.tif 000007
【図６】
2005165303.tif 000008
【図７】
2005165303.tif 000009
【図８】
2005165303.tif 000010
【図９】
2005165303.tif 000011
【図１０】
2005165303.tif 000012
【図１１】
2005165303.tif 000013
【図１２】
2005165303.tif 000014
【図１３】
2005165303.tif 000015
【図１４】
2005165303.tif 000016
【図１５】
2005165303.tif 000017